Podtech/llm-jp-corpus-v4-ja_patent huggingface dataset:
(57)【要約】      （修正有）【課題】着用する個人の顔に合わせて形状の全体および一部を簡単に変えることができるマスク用シートを提供する。【解決手段】フィルム製シート１に複数の穴２と切り込み３を加工して、汎用マスクの耳掛け紐を切り込みに通して穴を介して使用するマスク用シートである。一般的入手可能なフィルム製シート等を簡単に活用ないし転用することができる。【選択図】図１
0003229266.tif 000002
【実用新案登録請求の範囲】
【請求項１】
フィルム製シート等のシートに複数の穴と切り込みを加工して、汎用マスクの耳掛け紐を切り込みに通して穴を介して使用するマスク用シート類。
【請求項２】
フィルム製シート等のシートに複数の穴と切り込みを介して汎用マスクの耳掛け紐を容易に脱着するマスク用シート類。
【請求項３】
フィルム製シート等のシートの材質は、石油系プラスチック類フィルムないし繊維製布、ないし紙製であること。
【請求項４】
フィルム製シート等のシートに加工する複数の穴と切り込みは、汎用マスクの耳掛け紐が通過するように物理的につながっていること。
【考案の詳細な説明】
【技術分野】
【０００１】汎用の布および不織布マスクに本考案のフィルム製シート付与することにより、防疫効果を高めるマスクシステムの提供。フィルム製シート形状により、口、鼻、または、眼を覆うことができる。
【背景技術】
【０００２】風邪、インフルエンザ等のヒト感染性疾患の蔓延を効率よく防ぐ目的を有する。入手可能な汎用のフィルム等に数個の穴と数個の切り込みを付与することで簡便に加工することが作成できる。市販の不織布マスク、および布マスクは主として製造所等にて生産されています。また、自作布マスクは手縫いまたはミシンで作成されています。
本考案のフィルム製シートの作成は、家庭用ないし事務用のハサミ、穴あけ工具等により簡便に作成できる。
【先行技術文献】
【０００３】市販の不織布マスク、および布マスクは主として製造所等にて生産されています。
【特許文献１】主として透明のプラスチック製のフェイスシールド（顔面の全体をカバーする）が医療に使用されています。
【０００４】
【非特許文献１】本発明は汎用のフィルム等に数個の穴、および切り込み数個を付与することによる簡便な加工のみです。この加工の目的は見当たりません。
【考案の概要】
【考案が解決しようとする課題】
【０００５】市販の不織布マスク、および布マスクは主として製造所等にて生産されています。また、自作布マスクは手縫いまたはミシンで作成します。
本考案のフィルム製シートの作成は、家庭用ないし事務用のハサミ、穴あけ器等により簡便に加工することで製作できる。
【課題を解決するための手段】
【０００６】    フィルム製シート等に穴と切り込みを入れ、汎用のマスク（市販の不織ないし布製の汎用マスク）の耳掛け紐を切り込みに通して四隅の穴に通して装着します。
フィルム製シートは、各種のプラスチック製のシートないしフィルムが使用・転用できる。例として、事務用のクリアファイルが利便に入手可能である。
【考案の効果】
【０００７】汎用マスクの外側等に本考案のフィルム製シートを取り付けることにより、従来例のそれと比較して高い防疫効果および風除け等の効果があります。また、本考案のフィルム製シートを付与したマスクシステム全体は、フィルム部位を押さえることで装着時および脱着時に取扱いし易いメリットがあります。
フィルムシートは簡便に洗剤洗浄できます。また、素材によりアルコール消毒等も簡単です。
本考案のフィルム製シートは、目的に応じてプラスチック製でも、比較的厚紙の紙製でも課題の解決になります。
【図面の簡単な説明】
【０００８】
【図１】本考案の実施形状例を示す。
【図２】実施形状例２
【図３】実施形状例３
【図４】実施形状例４
【図５】実施形状例５
【図６】実施形状例６
【図７】実施形状例７
【図８】本考案を説明するシステム構成図
【考案を実施するための形態】
【０００９】  本考案を実施するかの最適と思われるものを図７に示す。
本考案の実施の形態を図８で説明します。汎用マスクの耳掛け紐（汎用マスク紐）を本考案のフィルム製シートの切り込みに通して、本考案の穴に掛ける。汎用マスクは顔面の内側にして使用します。
使用に際しては、図７に示す山折りをすることにより、装着時の顔への装着感が緩和向上します。この山折りは装着時の使用者の呼吸を容易にする効果が得られる。この山折りは複数でも装着時の効果がある。
装着・脱着時には、この山折りを適時摘まんで装着・脱着します。この装着・脱着により、汎用マスクからまた汎用マスクへの他人からまたは他人への疫学的汚染が軽減されます。
本考案のフィルム製シートは、使用毎に、洗浄または消毒液等で滅菌ないし殺菌することにより再使用できます。
フィルム製シートの種類と材質は石油系プラスチック製、ないし繊維系繊維または紙製でも効果ある。
【実施例１】
【００１０】実施例を図８に示す。汎用マスクの耳掛け紐（汎用マスク紐）を本考案のフルム製シートの切り込みに通して、本考案の穴に掛ける。汎用マスクは内側にして使用します。汎用マスク紐を耳に掛けて、フィルム製シートの山折りを適時摘まんで装着します。
【実施例２】
【００１１】フィルム製シートの実施例
事務用に使用されているクリアファイルを活用し本考案のフィルム製シートを作成した。フィルム製シートの形状により、口、鼻、および眼を防護することもできる。
【実施例３】
【００１２】フィルム製シートの他の材質の実施例
事務に使用されている厚紙を活用し本考案のフィルム製シートを作成した。
【産業上の利用可能性】
【００１２】    感染症対策のみならず花粉症、粉塵対策にも広く活用できる。
【符号の説明】
【００１３】  １  フィルム製シート
２  穴
３  切り込み
４  山折り
【図１】
0003229266.tif 000003
【図２】
0003229266.tif 000004
【図３】
0003229266.tif 000005
【図４】
0003229266.tif 000006
【図５】
0003229266.tif 000007
【図６】
0003229266.tif 000008
【図７】
0003229266.tif 000009
【図８】
0003229266.tif 000010
【手続補正書】
【提出日】令和2年8月19日(2020.8.19)
【手続補正１】
【補正対象書類名】実用新案登録請求の範囲
【補正対象項目名】全文
【補正方法】変更
【補正の内容】
【実用新案登録請求の範囲】
【請求項１】
フィルム製シートのシートに複数の穴と切り込みを加工して、汎用マスクの耳掛け紐を切り込みに通して穴を介して装着し使用するマスク用シート。
【請求項２】
フィルム製シートのシートに複数の穴と切り込みを介して汎用マスクの耳掛け紐を容易に脱着するマスク用シート。
【請求項３】
フィルム製シートのシートの材質は、石油系プラスチック類フィルムないし繊維製布、ないし紙製である請求項１または２に記載のマスク用シート。
【請求項４】
フィルム製シートのシートに加工する複数の穴と切り込みは、汎用マスクの耳掛け紐が通過するように物理的につながっている請求項１から３のいずれか１項に記載のマスク用シート。
(57)【要約】      （修正有）【課題】耕運機などを使って耕作地を耕作する際に、生えている雑草の除去を同時に行える耕作機取付用除草器具を提供する。【解決手段】耕作機取付用除草器具は、先端部をＬ型に曲げ、そのＬ型部を下向きにして一定間隔に束ねられた複数の棒帯を器具１０に係止し、複数の凸凹溝を有した下プレート１１及び上プレート１２により扇状に配置する。プレート１３に取り付けられているネジ１５により棒帯９の上下が調整する。地面側に一定圧力で押された状態の除草用器具を耕運機などの回転耕作刃の後側に取付けて、耕作地を耕運機などで耕作する際に耕作地に生えている雑草を、耕作しながら同時に集めることが出来る。【選択図】図２
0003229205.tif 000002
【実用新案登録請求の範囲】
【請求項１】
先端部を下向きＬ型に曲げた複数の弾力性を有した棒帯を一定間隔に束ね、地面側に一定圧力で押された状態にして、耕作機（耕運機など）の回転耕作刃の後方に取り付けが出来るようにし、更に束ねた棒帯のＬ型先端部が上下及び横方向に調整が出来るようにしたことを特徴とする耕作機取付用除草器具
【請求項２】
請求項１の除草器具を有していることを特徴とする耕作機
【考案の詳細な説明】
【技術分野】
【０００１】  この考案は、耕作地に耕運機などを使って耕作をすると、耕作地に生えている草も同時に耕作する為に多くの草が耕作地に散乱してしまうので、耕作と草を集める作業を同時に行うことが出来る耕作機取付用除草器具及び除草作業に関する。
【背景技術】
【０００２】  耕作地には雑草が生茂る為に、除草作業や除草剤散布などに多くの労力や時間を費やしている。
【考案の開示】
【考案が解決しようとする課題】
【０００３】  現在はトラクターや耕運機などを使用して耕作作業をしているが、それは耕作のみの単作業である。又、耕作後の雑草を集めるなどの用品が多数販売されているがそれを使っての作業はそれぞれ単作業である。
【課題を解決するための手段】
【０００４】  以上の課題を解決するために、除草用器具を耕作機に取り付けて耕作と除草を同時に作業にする。
【考案の効果】
【０００５】  耕運機などで耕作したときにはそのまま雑草が残るが、本器具を耕作機に装着すれば耕作と同時に草を集めることができる。
【考案を実施するための最良の形態】
【０００６】  この考案の実施形態を図面に基づき説明する。
図１は、本考案の除草器具１を耕作機（耕運機）２に取付けた状態の側面図である。耕運機２の回転耕作刃３のカバー４にプレート５に設けてある穴６を通し、ネジ７で取り付け、そのプレート５に除草器具１を取り付けた状態の図である。
図２は、本考案の除草器具１の実施形態を表した見取図である。先端がＬ型に曲がった複数の棒帯９は、他端側を器具１０により束ね表面に棒帯９を係止させるための複数の凸凹溝を有した下プレート１１及び上プレート１２を扇状に配置しながら取り付け、器具１０はプレート１３に一体で取り付けられているネジ１５により棒帯９の上下が調整出来る。プレート１３に設けてある穴１４をプレート５に設けてあるピン８に挿入し、耕運機２のカバー４に取り付けた見取図である。
図３は、本考案の他の実施形態を表した見取図である。先端Ｌ型に曲がった複数の棒帯９を互いに平行にした状態でサポート体１６に取り付け、そのサポート体１６にはプレート５に設けられているピン８に挿入される穴１４が設けられている。
【実施形態の効果】
【０００７】この実施形態によれば、本考案の除草器具を耕運機などに取り付けたことにより、耕作地に生えている草を耕運機などで耕作しながら同時に集めることができ、除草作業を従来より大幅に軽減することが出来る。
【図面の簡単な説明】
【０００８】
【図１】図１は、本考案の実施形態を表した側面図である。
【図２】図２は、本考案の実施形態を表した見取図である。
【図３】図３は、本考案の除草器具の他の実施形態を表したもので、先端がＬ型に曲がった複数の棒帯を一定間隔で平行に配置して設けた耕作機取付用除草器具の見取図である。
【符号の説明】
【０００９】１、除草器具    ２、耕運機    ３、回転耕作刃    ４、カバー    ５、プレート
６、取付穴    ７、ネジ    ８、ピン    ９、棒帯    １０、具材    １１、下プレート１２、上プレート    １３、プレート    １４、穴    １５、ネジ    １６、サポート体
【図１】
0003229205.tif 000003
【図２】
0003229205.tif 000004
【図３】
0003229205.tif 000005
(57)【要約】      （修正有）【課題】使用後の刃先の研磨と刃先の錆止めで、剃刀の刃先の寿命を２〜３倍に延ばすことができる研磨布、又は油紙を提供する。【解決手段】剃刀幅よりやや狭くした研磨布２で、剃刀の一段高くなっている部分を避け、刃先が研磨布に直接接触して研磨できるようにした。また、剃刀幅よりやや狭くした油を浸み込ませた研磨布３、又は油紙で、剃刀の一段高くなっている部分を避け、刃先に油がコーティングされるようにして錆を防止した。研磨布２と油を浸み込ませた研磨布３を直線状に配置することで、磨いた後、容易に剃刀に油をコーティングできる。【選択図】図３
0003229204.tif 000002
【実用新案登録請求の範囲】
【請求項１】
剃刀幅より研磨布幅をやや狭くして、剃刀の一段高くなっている左右の枠部分に触れなくする事で、剃刀の刃先が研磨布に接触するようにした研磨布。
【請求項２】
剃刀幅より研磨布幅をやや狭くして、剃刀の一段高くなっている左右の枠部分に触れなくする事で、剃刀の刃先が油を染ませた研磨布又は油紙に接触するようにした、油を染ませた研磨布又は油紙。
【考案の詳細な説明】
【技術分野】
【０００１】  本考案は、剃刀の切れ味を維持する為の、研磨と錆止めに関するものである。
【背景技術】
【０００２】  剃刀を使用して髭剃りをすると、次第に切れ味が劣化していき、２０回前後で寿命となり、使い捨てされる。
【先行技術文献】
【広報種別】
公開特許公報（Ａ）
【０００３】    ［出願番号］実願平０４−０５３５００
［公開日］１９９２年）７月７日
［発明の名称］かみそり研ぎ器
［出願人］池上  義忠
【考案の概要】
【考案が解決しようとする課題】
【０００５】  解決しようとする問題点は、剃刀を使用して髭剃りをすると、次第に切れ味が劣化していき、２０回前後で寿命となり、使い捨てされる点である。
これを使用後の刃先の研磨と刃先の錆止めで、刃先の寿命を２〜３倍に延ばし、前述の欠点を解決しようとするものである。
【課題を解決するための手段】
【０００６】  剃刀の切れ味を劣化させる要因の一つ目は、使用後に刃先に付着した皮脂であり、二つ目は水道水で洗い流した後の刃先に付いた水滴と酸化による錆である。
よって、要因の一つ目を取り除く手段が、研磨布による研磨である。
しかし、刃を固定する左右の枠の高さが、刃より一段高くなっている構造上、研磨布に刃先が届かない。
それを解決するため、剃刀幅よりやや狭くした研磨布で、剃刀の一段高くなっている部分を避け、刃先が研磨布に直接接触するようにした。
二つ目の錆を防ぐ手段は、油による刃先のコーティングである。
これも同様に、剃刀幅よりやや狭くした油を浸み込ませた研磨布、又は油紙で、剃刀の一段高くなっている部分を避け、刃先が油を浸み込ませた研磨布又は油紙に接触するようにした。
これら研磨布と油を浸み込ませた研磨布を直線状に配置することで、研磨布で磨いた後、容易に剃刀を油を浸み込ませた研磨布の上に押し付ける事ができる。
又は、替刃カートリッジを取り外して乗せて置くだけでも刃先に油がコーティングされる。
【考案の効果】
【００７】  上述のように、本考案の研磨布に、髭剃り後、剃る方向とは逆方向に押し付け研磨する事で刃に付いている皮脂を取り除き、切れ味を蘇らせる。
また、剃刀の刃を、油を浸み込ませた研磨布の上に一度押し付けるか、又は替刃カートリッジの刃を本体から取り外して、油を浸み込ませた研磨布の上に乗せるだけで錆を防ぐ事ができ、切れ味を長持ちさせる事ができる。
【図面の簡単な説明】
【００８】
【図１】図１は替刃カートリッジの刃を固定する左右の枠の高さが、刃より一段高くなっている事を示す説明図である。
【図２】図２は本考案の構造を示す説明図である。
【図３】図３は本考案の使用方法を示す説明図である。
【考案を実施するための形態】
【００９】  図２のように基盤４に研磨布２と研磨布３を両面テープ又は接着剤で張り付ける。
錆防止オイルを研磨布３に塗布する。
以上が本考案の研磨布１である。
【実施例１】
【００１０】  以下、添付図面に従って実施例を説明する。
図３は本考案の研磨布１である。吊り下げフック穴８部分を手で固定し、研磨布２の手前から奥へのみ剃刀本体を数回滑らせて研磨する。
その後、油を浸み込ませた研磨布３に剃刀本体５の刃先を軽く押し当てて油を刃先に塗布する。
【符号の説明】
【００１１】１    本考案の研磨布
２    研磨布
３    油を浸み込ませた研磨布
４    基盤
５    剃刀本体
６    刃
７    枠
８    吊り下げフック穴
９    錆防止オイル
【図１】
0003229204.tif 000003
【図２】
0003229204.tif 000004
【図３】
0003229204.tif 000005
(57)【要約】      （修正有）【課題】ＡＲオリジナルジグソーパズルを提供する。【解決手段】両面印刷されたチップボール紙を、ジグソーパズルの形状に裁断されたＡＲオリジナルジグソーパズルであって、表面には利用者独自の写真が印刷され、裏面にはマトリックス型２次元コードを埋め込んだマーカーが印刷されたもの。【選択図】図１
0003225102.tif 000002
【実用新案登録請求の範囲】
【請求項１】
オリジナルジグソーパズルの裏面に印刷する、マトリックス型２次元コードを埋め込んだ、マーカーとなる特定デザイン。
【請求項２】
請求項１に記載している特定デザインを映した際に、三次元メッセージが表示される専用アプリ。
【考案の詳細な説明】
【技術分野】
【０００１】      本考案は、肉眼では視認できない隠されたメッセージを、特定のアプリを介して観ることで確認することができる、ＡＲ技術を活用したオリジナルジグソーパズルである。
【背景技術】
【０００２】      無線ＬＡＮネットワークを介さず、アプリ独自の機能で対象物からメッセージを浮上させる技術は、これまでに存在しない。
【考案の概要】
【考案が解決しようとする課題】    本考案は、ジグソーパズルを組み上げた状態では視認することができない隠されたメッセージを、専用アプリを介すことで表示させ、ギフト利用の顧客に驚きを与えることを課題とする。
【課題を解決するための手段】    本考案はジグソーパズルの表裏両面に印刷をすることを前提とする。表面は利用者独自の写真を印刷し、裏面には顧客メッセージ情報を付与したマトリックス型２次元コードを埋め込んだ、マーカー特性を与えた特定の図案を印刷する。この両面印刷されたチップボールの厚紙を、専用のプレス機で裁断をすることで解決する。
【考案の効果】    これまでは、ジグソーパズルとは別に同梱するしかなかった文章を、ジグソーパズル内に隠すことができ、各種の祝日や記念日等のサプライズギフトとして活用することが可能となった。
【図面の簡単な説明】
【図１】本考案全体のフローチャート
【図２】請求項１に記載した横型デザインのマーカー画像
【図３】請求項１に記載した縦型デザインのマーカー画像
【考案を実施するための形態】
専用のチップボール紙の片面に写真を印刷。写真を印刷した裏面には、請求項１のマーカー画像を印刷する。両面印刷された状態のチップボール紙を、専用のプレス機でジグソーパズルの形状に裁断する。請求項１に記載したマトリックス型２次元コードを、請求項２に記載した専用アプリで読み取ることにより、請求項１に記載したマーカーデザイン上にメッセージを表示させる。
【符号の説明】１  ジグソーパズルの片面に印刷する写真の選択
２  マーカー画像上に表示する１行目メッセージを６項目の中から選択
３  上記１行目メッセージの文字色を選択
４  マーガー画像上に表示する２行目メッセージを、小文字アルファベット、！、？、ハートマーク、スペースを使って任意に入力
５  上記２行目メッセージの文字色を選択
６  上記２〜５で入力した情報からマーカー画像を作成
７  １の写真をチップボール紙の片面に印刷
８  ６で作成したマーカー画像を、７のチップボール紙裏面に印刷
９  専用のプレス機でジグソーパズルの形状に裁断
１０  請求項２に記載した専用アプリで、６の情報を読み込み
１１  マトリックス型二次元コードの情報を三次元化して、請求項１に記載したマーカー画像上に表示
【図１】
0003225102.tif 000003
【図２】
0003225102.tif 000004
【図３】
0003225102.tif 000005
【手続補正書】
【提出日】令和1年11月20日(2019.11.20)
【手続補正１】
【補正対象書類名】実用新案登録請求の範囲
【補正対象項目名】全文
【補正方法】変更
【補正の内容】
【実用新案登録請求の範囲】
【請求項１】
両面印刷されたチップボール紙を、ジグソーパズルの形状に裁断されたＡＲオリジナルジグソーパズルであって、表面には利用者独自の写真が印刷され、裏面にはマトリックス型２次元コードを埋め込んだマーカーが印刷された、ＡＲオリジナルジグソーパズル。
【手続補正２】
【補正対象書類名】明細書
【補正対象項目名】全文
【補正方法】変更
【補正の内容】
【考案の詳細な説明】
【技術分野】
【０００１】      本考案は、肉眼では視認できない隠されたメッセージを、特定のアプリを介して観ることで確認することができる、ＡＲ技術を活用したオリジナルジグソーパズルである。
【背景技術】
【０００２】      無線ＬＡＮネットワークを介さず、アプリ独自の機能で対象物からメッセージを浮上させる技術は、これまでに存在しない。
【考案の概要】
【考案が解決しようとする課題】    本考案は、ジグソーパズルを組み上げた状態では視認することができない隠されたメッセージを、専用アプリを介すことで表示させ、ギフト利用の顧客に驚きを与えることを課題とする。
【課題を解決するための手段】    本考案はジグソーパズルの表裏両面に印刷をすることを前提とする。表面は利用者独自の写真を印刷し、裏面には顧客メッセージ情報を付与したマトリックス型２次元コードを埋め込んだ、マーカー特性を与えた特定の図案を印刷する。この両面印刷されたチップボールの厚紙を、専用のプレス機で裁断をすることで解決する。
【考案の効果】    これまでは、ジグソーパズルとは別に同梱するしかなかった文章を、ジグソーパズル内に隠すことができ、各種の祝日や記念日等のサプライズギフトとして活用することが可能となった。
【図面の簡単な説明】
【図１】本考案全体のフローチャート
【図２】請求項１に記載した横型デザインのマーカー画像
【図３】請求項１に記載した縦型デザインのマーカー画像
【考案を実施するための形態】
専用のチップボール紙の片面に写真を印刷。写真を印刷した裏面には、請求項１のマーカー画像を印刷する。両面印刷された状態のチップボール紙を、専用のプレス機でジグソーパズルの形状に裁断する。請求項１に記載したマトリックス型２次元コードを、専用アプリで読み取ることにより、請求項１に記載したマーカーデザイン上にメッセージを表示させる。
【符号の説明】１．ジグソーパズルの片面に印刷する写真の選択
２．マーカー画像上に表示する１行目メッセージを６項目の中から選択
３．上記１行目メッセージの文字色を選択
４．マーガー画像上に表示する２行目メッセージを、小文字アルファベット、！、？、ハートマーク、スペースを使って任意に入力
５．上記２行目メッセージの文字色を選択
６．上記２〜５で入力した情報からマーカー画像を作成
７．１の写真をチップボール紙の片面に印刷
８．６で作成したマーカー画像を、７のチップボール紙裏面に印刷
９．専用のプレス機でジグソーパズルの形状に裁断
１０．専用アプリで、６の情報を読み込み
１１．マトリックス型二次元コードの情報を三次元化して、請求項１に記載したマーカー画像上に表示
(57)【要約】      （修正有）【課題】球体の永久磁石を内包した軸筒を一体に備えた新規の筆記具を提供する。【解決手段】両端部に筆先部を装着している軸筒内に、それぞれの筆先部にインクを供給する筒状のインク室を筆先部ごとに別個に設けてなる筆記具において、両インク室の長さを調節することにより、軸筒内に磁石を固定できる収納部を設け、この磁石収納部に球体の永久磁石を内装して成るものである。【選択図】図５
0003225107.tif 000002
【実用新案登録請求の範囲】
【請求項１】
両端部に筆先部を装着している軸筒内に、上記筆先部にインクを供給する筒状のインク室を設けてなる筆記具において、上記の両インク室の長さを調節することにより、上記軸筒内中心に磁石を固定できる収納部を設け、この磁石収納部に球体の永久磁石を内装して成る筆記具。
【考案の詳細な説明】
【技術分野】
【０００１】
本考案は、球体の永久磁石を内包した筆記具に関するものである。
【背景技術】
【０００２】
従来知られている磁石付きの筆記具は本体軸部に磁石を固着してなる筆記具であり、本体軸部の外周面適所に板片状の磁石を接着剤によって固着してなる筆記具や、本体軸部の外周面にリング状の磁石を嵌着してなる筆記具である。最近では磁石を内包した筆記具も知られているが、いずれも磁石により金属製のものに筆記具を吸着させるか筆記具同士を吸着させる機能のみであった。よって最近 では必ずしも充分に顕著な独創性・斬新性を表出しなくなってきていて、いずれもマンネ リ化を払拭し切れない状態になっているとしか言いようのないもののみである。
【考案の概要】
【考案が解決しようとする課題】
【０００３】
そこで、本考案は上記現実に鑑み、充分に顕著な独創性および斬新性を表出してマンネリ化を払拭する工夫およびその他の工夫を施した新規の筆記具を提供することを目的とする。
【課題を解決するための手段】
【０００４】
上記目的を達成するために本考案に係る筆記具は、両端部に筆先部を装着している軸筒内に、上記筆先部にインクを供給する筒状のインク室を設けてなる筆記具において、上記の両インク室の長さを調節することにより、上記軸筒内に磁石を固定できる収納部を設け、この磁石収納部に球体の永久磁石を内装していることを特徴とする。
【考案の効果】
【０００５】
本考案に係る筆記具は、上記のように軸筒内に内包させた球体の永久磁石を、軸筒両端部に装着している筆先部にインクを供給する筒状のインク室２つを以て軸筒内の中心位置に止着することにより、利用者は金属製のものに筆記具を吸着させるか筆記具同士を吸着させる旧来からの機能を享受できるとともに、当該筆記具同士を任意に回転させて遊んだりする等の使い方が可能なものであり、マンネリ化を払拭するという所期の目的を完全に達成できる著効を奏するものである。
【図面の簡単な説明】
【０００６】
【図１】図１は、本考案筆記具が球体の永久磁石を内包・固定している画像である。
【図２】図２は、本考案筆記具同士を吸着させて収納具に収納している画像である。
【図３】図３は、本考案筆記具同士を吸着させて自立させている画像である。
【図４】図４は、本考案筆記具同士を吸着させて持ち運びしている画像である。
【図５】図５は、本考案筆記具を金属製容器に吸着させている画像である。
【図６】図６は、本考案筆記具に金属製クリップを吸着させている画像である。
【図７】図７は、本考案筆記具同士を回転させている画像である。
【実施例１】
【０００７】
図１は、本考案筆記具の磁石内装部分の透明画像であって、球体の永久磁石を内包・固定している。
【０００８】
図２と図３と図４は、本考案筆記具同士を吸着させている画像であって、まとめることで、収納しやすく、自立させて置くことができ、持ち運びも簡単である。
【０００９】
図５と図６は、本考案筆記具を金属製容器に吸着させる（図５）・本考案筆記具に金属製クリップを吸着させる（図６）ことができる。
【００１０】
図７のように、本考案筆記具が多様に回転するという視覚効果が得られ、使用者のニーズを満たすことにおおいに役立つ。
【図１】
0003225107.tif 000003
【図２】
0003225107.tif 000004
【図３】
0003225107.tif 000005
【図４】
0003225107.tif 000006
【図５】
0003225107.tif 000007
【図６】
0003225107.tif 000008
【図７】
0003225107.tif 000009
【手続補正書】
【提出日】令和1年12月4日(2019.12.4)
【手続補正１】
【補正対象書類名】実用新案登録請求の範囲
【補正対象項目名】請求項１
【補正方法】変更
【補正の内容】
【請求項１】
両端に筆先部を装着している一本の軸筒内に、
それぞれの筆先部にインクを供給する筒状のインク室を、
筆先部ごとに別個に設けてなる筆記具において、
上記の両インク室の長さを調節して２つのインク室がそれぞれの方向から
球体の永久磁石を挟み込むことにより、
この磁石を上記軸筒内中心部分で固定して成る筆記具。
(57)【要約】      （修正有）【課題】一般に広く使われている構成素材が木材の楽器と組み合わせることにより、箱根寄木細工を広く活用するとともに、貴重な文化的価値のある伝統工芸の維持・発展につなげることができるギター、ウクレレ、カホン等の楽器を提供する。【解決手段】箱根寄木細工の寄木を薄くスライスしたシート状の木材料であるズクをギター等の楽器の側面及び／又は表面に張り付ける。ズクを、ゴルペ板、スクラッチガードまたはピックガードとして表面に張り付けてもよい。【選択図】図１
0003225137.tif 000002
【実用新案登録請求の範囲】
【請求項１】
本考案は、神奈川県小田原および箱根地方に伝わる伝統的工芸、箱根寄木細工と、ギター、ウクレレ、ヴァイオリン、チェロ、カホン、ドラム、琴、三味線などあらゆる楽器の組み合わせである。
【請求項２】
箱根寄木細工のズク（寄木を薄くスライスしたシート状の木材料）や、その類似物をギター等に用いるゴルペ板、スクラッチガード、ピックガード、その他装飾用として楽器に用いること。
【請求項３】
箱根寄木細工やそのズクと組み合わせによる楽器その他関連物品の製造・販売（受注および委託を含む）。
【考案の詳細な説明】
【技術分野】
【０００１】本考案は、神奈川県小田原および箱根地方に伝わる伝統的工芸、箱根寄木細工と、ギター、ウクレレ、ヴァイオリン、チェロ、カホン、ドラム、琴、三味線などあらゆる楽器の組み合わせである。
【背景技術】
【０００２】ギターなど世界中で幅広く親しまれている楽器は、構成素材が木材に限られているため、デザインやスタイルでの差別化が難しい。
【考案の概要】
【考案が解決しようとする課題】
【０００３】世界的に一般に親しまれている楽器の装飾と、箱根寄木細工の実用範囲の拡大による生産増、それに伴う伝統工芸技術の継承。
【課題を解決するための手段】
【０００４】ギターなど、素材が木材に限られるため装飾に限界がある楽器に伝統工芸の箱根寄木細工を組み合わせた物品を生産・販売する。
【考案の効果】
【０００５】海外で需要のあるギターなどの楽器と組み合わせることで国内はもとより、箱根寄木細工と日本製楽器の海外輸出が見込める。【０００６】楽器の音質や機能に影響することなく、寄木細工の繊細な美しさを際立たせているギターの側面と、表目に貼り付けて使うゴルペ板に箱根寄木細工のズキを使い装飾をほどこすことで、楽器の機能に影響することなく寄木細工の繊細な美しさを際立たせている。
【図面の簡単な説明】
【０００７】
【図１】ギターの側面と、表目に貼り付けて使うゴルペ板に箱根寄木細工のズキを使い装飾をほどこした。
【図１】
0003225137.tif 000003
【手続補正書】
【提出日】令和1年11月6日(2019.11.6)
【手続補正１】
【補正対象書類名】実用新案登録請求の範囲
【補正対象項目名】全文
【補正方法】変更
【補正の内容】
【実用新案登録請求の範囲】
【請求項１】
箱根寄木細工の寄木を薄くスライスしたシート状の木材料であるズクを側面に張り付けたギター、ウクレレ、またはカホン。
【請求項２】
箱根寄木細工の寄木を薄くスライスしたシート状の木材料であるズクを表面に張り付けたギター、ウクレレ、またはカホン。
【請求項３】
箱根寄木細工の寄木を薄くスライスしたシート状の木材料であるズクを、ゴルペ板、スクラッチガードまたはピックガードとして表面に張り付けたギターまたはギターまたはウクレレ。
(57)【要約】      （修正有）【課題】３５度以上の真夏日でも、日陰の無い場所でも２〜３度下がる工夫を上段傘に４箇所大きな風穴を開け、下段傘にも４箇所大きな風穴を開けて、傘の上から風通し良くする為、そして２段傘にしたジャンピング２段日陰傘を提供する。【解決手段】２段日陰傘は、上段傘８本骨の傘に、２本ずつ交互に４箇所に風穴を作り、残りの４箇所交互に傘テントが張っている下の所に、下段傘１２本骨を４箇所に風穴を作る事で、上段傘と下段傘の風穴が交互になる。【選択図】図１
0003225135.tif 000002
【実用新案登録請求の範囲】
【請求項１】
２段日陰傘は、上段傘８本骨の傘に、２本づつ交互に４箇所に風穴が作り、残りの４箇所交互に傘テントが張っている下の所に、下段傘１２本骨を４箇所に風穴を作る事で、上段傘と下段傘の風穴が交互になって直接雨は防げるし、風通しが良いのが特徴となる、ワンタッチで開く、ジャンピング２段日陰傘（ひかげがさ）
【考案の詳細な説明】
【技術分野】
【０００１】本考案は、３０〜３５度の真夏日に、今までの日傘より涼しい日傘と思い、風穴を大きく開ける、傘８本骨の２本にテントを張り、２本開けて２本テントを張り互い違いにして、４箇所テントを張り４箇所はテント無し、このままでは雨は除けれないので、２段にして下段傘に１２本骨で上段傘の８本骨よりも、１０ｃｍ長くして上段傘のテントの張った４箇所の下に、下段傘（１２本骨）４箇所をテント無しにすると、風通し良く温度が３〜４度下がります。風穴を互い違いする事で雨も避けれる。
【背景技術】
【０００２】京都大学の某教授がテントを張るよりも、２０ｃｍ位の３角形を互い違いに付け、風通し良くすれば３〜４度温度が下がると云うので、日傘でも出来ないか？日傘を２段にして風穴を互い違いにすれば、雨も避け、風通しの良い２段日傘。
【考案の開示】
【考案が解決しようとす課題】
【０００３】真夏に影の無い所などは３５度以上に成り易い、ゴルフ場や海辺などでは、日陰の無い場所では、２段日陰傘（木陰）の隙間風はかなり有効だと思います。
【考案を解決するための手段】
【０００４】傘に小さな穴では効果は無いので、２段傘の上は８本骨で４箇所風穴（図面２参照）２段傘の下は１２本骨で４箇所風穴（図面３参照）は上とは互い違いになる事で雨には直接濡れない様にした。
【考案の効果】
【０００５】上述の様に、上傘８本骨で４箇所風穴（図面２参照）の所に４箇所の１０ｃｍ位の幅で骨繋ぎの役目がいる、下傘１２本骨で４箇所風穴（図面３参照）の所には４箇所１５ｃｍ位の幅で骨繋ぎがいる。これは骨と骨が広がらない為です。
【考案を実施する為の最良の形態】
【０００６】２段傘（木陰）の上段傘は半径約１１０ｃｍ位で、下段傘は半径約１３０ｃｍ位で高さ約１０ｃｍ位の幅、持つ所から先端まで約１００ｃｍ位でジャンピング傘、全体に軽量にする。
【実施例】
【０００７】以下添付図面に従って実施例と致しますが、ゴルフ場とか海辺などの直射日光の場所では、上段傘は半径約１３０ｃｍ位、下段傘は半径約１５０ｃｍ位の大き目のパラソルが良い、先端〜持つ所１１０ｃｍ位、２段日陰傘の上段傘グリーンと下段傘濃グリーンは涼しい木陰のイメージ、しかしゴルフ場や海辺などは、カラフルな色も良い。
【図面の簡単な説明】
【０００８】
【図１】  ２段日陰傘の上面図
【図２】  上段傘（８本骨）の上面図
【図３】  下段傘（１２本骨）の上面図
【図４】  ２段日陰傘の横面図
【符号の説明】
【０００９】▲１▼  上段傘（８本骨）大きさ半径約５５ｃｍ位の傘
▲２▼  下段傘（１２本骨）大きさ半径約６５ｃｍ位の傘
▲３▼  上段傘（８本骨）８本骨の２本づつ間を風穴とする（４箇所）
▲４▼  上段傘、風穴（４箇所）に骨と骨が開かない様に１０〜１５ｃｍの骨繋ぎをする
▲５▼  傘の先端の後ろ周り、中心部を半径約１０ｃｍ位覆う
▲６▼  下段傘（１２本骨）上段傘のテント４箇所部分の下に風穴（４箇所）とする
▲７▼  下段傘、風穴（４箇所）に骨と骨が開かない様に１５〜２０ｃｍの骨繋ぎをする
▲８▼  ２段傘ジャンピング傘のスイッチ
▲９▼  ２段傘を閉じた時の止め金（凸）
▲１０▼  ２段傘を閉じた時の止め金（凹）
▲１１▼  ２段傘の取っ手
▲１２▼  ２段傘段傘の先端（５〜１０ｃｍ）
▲１３▼  上段傘（８本骨）の裏骨
▲１４▼  下段傘（１２本骨）の裏骨
▲１５▼  上段傘（８本骨）のジャンピング用スプリング
▲１６▼  下段傘（１２本骨）のジャンピング用スプリング
▲１７▼  下段傘、中心部を半径約１５ｃｍ位覆う（上段傘の中心部より大き目が良い）
▲１８▼  上段傘、傘巻き留め
0003225135.tif 000003
【手続補正書】
【提出日】令和1年11月27日(2019.11.27)
【手続補正２】
【補正対象書類名】図面
【補正対象項目名】全図
【補正方法】変更
【補正の内容】
【図１】
0003225135.tif 000004
【図２】
0003225135.tif 000005
【図３】
0003225135.tif 000006
【図４】
0003225135.tif 000007
(57)【要約】      （修正有）【課題】指サイズ変化に対応可能な指輪を提供する。【解決手段】帯状の有弾力板体を設けるとともに、該板体の一端に舌片部２を他端に舌片対応部３を設け、該板体を環状に変形させた場合において、舌片部と舌片対応部が当接もしくは近接位置となるよう形成した。【選択図】図４
0003225138.tif 000002
【実用新案登録請求の範囲】
【請求項１】
帯状の有弾力板体を設けるとともに、該板体の一端に舌片部を他端に舌片対応部を設け、該板体を環状に変形させた場合において、舌片部と舌片対応部が当接もしくは近接位置となるよう形成したことを特徴とする指にアジャスタする指輪。
【請求項２】
舌片部を台形状とし、舌片対応部を舌片当接可能な台形切除部としてなる請求項１記載の指にアジャストする指輪。
【請求項３】
環状に形成された有弾力板体の上面中央およびその近傍に任意の図形・模様を表現してなる請求項１または２記載の指にアジャストする指輪。
【請求項４】
有弾力板体を金属製板バネとしてなる請求項１から３のいずれかの項に記載の指にアジャストする指輪。
【考案の詳細な説明】
【技術分野】
【０００１】  この考案は、使用者の指のサイズ（太さ）に追随してフィットできる指輪に関する。
【背景技術】
【０００２】  従来より、多種多様な指輪が使用されているが、本案にて示すように環状であるとともにその一部が分離可能となって指サイズに適合する指輪は見当たらない。
【考案の概要】
【考案が解決しようとする課題】
【０００３】  装身具は古来より用いられており、その一つが指輪である。現代ではそのほとんどが金属製の環体であり、各人の指サイズに合うように内径サイズの異なったものから選べるようになっている。しかし、人の指サイズは年齢、体重、体調などにより変化するものであるために、購入した当時には適切なサイズであっても、使用期間が進むにつれてサイズが合わなくなってくる場合があるため、作り直しや再度購入といった問題が生ずるが、これに対する適当な他の手段が見当たらないのが現状である。
本案は以上に鑑み、指サイズの変化に対応できる新規かつ有用なる手段を提供することを目的として考案されたものである。
【課題を解決するための手段】
【０００４】  課題を解決する手段として本案は以下の構成とした。
すなわち、帯状の有弾力板体を設けるとともに、該板体の一端に舌片部を他端に舌片対応部を設け、該板体を環状に変形させた場合において、舌片部と舌片対応部が当接もしくは近接位置となるよう形成する。
本案は以上の構成よりなる指にアジャストする指輪である。
【考案の効果】
【０００５】  本案によれば、環体の一部が近接と離隔が可能であるとともに、常に近接する方向へ付勢されているために、使用者の指サイズに適合して指に常時フィットした状態にて指に位置するために、従来品にはない有用なる機能を有した指輪を提供することができる。
また、有弾力素材を用いるが、これは金属に限らず合成樹脂にても作成が可能である。
【図面の簡単な説明】
【０００６】
【図１】本考案の平面図
【図２】本考案の正面図
【図３】本考案の底面図
【図４】本考案の展開図
【図５】本考案の使用説明図
【図６】本考案の使用説明図
【考案を実施するための形態】
【０００７】  以下、本考案の実施形態について説明する。
図において、１は本体部で、所定幅所定厚の金属製板バネである。２は本体部右端に形成される舌片部である。この舌片部は右方に台形状に突出する部分であって、その根元は本体部幅より小幅であり、先端に向かうにつれて次第に小幅となっており、本体部と一体に形成される。３は舌片対応部である。この舌片対応部は本体部左端に形成される台形状の切除部であり、前記舌片部とほぼ同一形状である。
以上の形成体は加工前は平板状であり、加工にて図２にて示すように環状となる。
このとき、本体部最下位置は図３にて示すごとく、舌片部は舌片対応部内に入り込み、双方は当接している。また、本体部上面中央には任意の図形・模様が表現される。
以上が本案の一実施形態である。
【０００８】  本案使用に際しては、一般の指輪同様に任意に選択した指の先からはめ込んで用いる。
本案品は板バネにて形成されており、従って、既述の舌片部と舌片対応部との距離は変化が可能である。一般の指輪は単一環体であるために上記のような作用はないが、本案では上記のごとく本体部内径の変化が可能であり、従って指サイズが変化しても対応することができ、また板バネの復帰作用にて常に指に若干の押圧にてフィットさせることができる。
【０００９】  以上本案について記したが、本案は指サイズに適合してその内径が変化する機能を有する従来にない機能と構成を有するものである。なお、既例では金属製板バネにて形成したが、他の素材例えば有弾力合成樹脂にて形成してもよい。また、指輪に表現する模様として、本例ではハート形状を表現したが、任意の他の模様を用いることができる。
既例ではハート形を打ち抜きとしたが、他手段として、バネ板厚に達しない細幅の溝による表現、あるいは裏面から押圧にてハート形の突出部を表面に出して、このハート形を研磨する方法を用いてもよい。また、本例で用いた台形状の舌片部以外の他の形状の舌片部形状としてもよい。
以上のごとく、本案によって指サイズ変化に対応可能なる有用なる指輪を得ることができる。
【符号の説明】
【００１０】  １  本体部
２  舌片部
３  舌片対応部
４  模様
５  指サイズ
【図１】
0003225138.tif 000003
【図２】
0003225138.tif 000004
【図３】
0003225138.tif 000005
【図４】
0003225138.tif 000006
【図５】
0003225138.tif 000007
【図６】
0003225138.tif 000008
(57)【要約】      （修正有）【課題】照明を点灯又は消灯させるために煩雑な操作を必要としない卓上鏡を提供する。【解決手段】照明付卓上鏡１０は、鏡部１と、鏡部を保持する鏡保持部２と、使用者を検知する人感センサと、人感センサからの検出信号を受けて点灯する照明手段４（ＬＥＤ）と、照明手段に電力を供給する電源部５とを備える。【選択図】図１
0003225144.tif 000002
【実用新案登録請求の範囲】
【請求項１】
鏡部（１）と、
当該鏡部（１）を保持する鏡保持部（２）と、
使用者を検知する人感センサ（３）と、
当該人感センサ（３）からの検出信号を受けて点灯する照明手段（４）と、
前記照明手段（４）に電力を供給する電源部（５）とを備える照明付卓上鏡。
【請求項２】
前記照明手段（４）が、ＬＥＤであることを特徴とする請求項１に記載の卓上鏡。
【考案の詳細な説明】
【技術分野】
【０００１】
本考案は、新規の卓上鏡に関し、より具体的には、照明を点灯又は消灯させるために煩雑な操作を必要としない卓上鏡に関する。
【背景技術】
【０００２】
卓上鏡（卓上ミラー）は、男女ともに身だしなみを整えるために使用され、女性においては、自身の顔の化粧をする際に使用される。使用の際に、部屋の明るさが暗かったり、あるいは鏡に映される顔の角度により影ができたりする場合、鏡に映し出される顔の細部を認識しにくい場合もある。この場合、化粧をしにくかったり、場合によっては化粧を失敗したりする場合もある。
【０００３】
そのため、ＬＥＤライトなどの照明装置が鏡の周囲に設置された卓上鏡（照明付卓上鏡）が提案されている。この卓上鏡は、使用時にそのＬＥＤライトにより、使用者の顔を鏡に明るく映すことができる。そのため、使用者は、顔の細部、微細な凹凸を認識できたり、肌の状態も観察されやすくなったりする。
【０００４】
このような、照明付卓上鏡は、たとえば特許文献１に開示されている。
【先行技術文献】
【特許文献】
【０００５】
【特許文献１】公開実用昭和６４−３２６７３号公報
【考案の概要】
【考案が解決しようとする課題】
【０００６】
しかしながら、特許文献１に開示された照明付卓上鏡を含め、従来の照明付卓上鏡は、使用者自身が照明スイッチをＯＮの状態にしなければならなかった。そのため、使用者にとってみれば、たとえば化粧前やヘアセット前に照明のスイッチを操作することは煩雑であるし、特に小型の卓上鏡の場合、必然的にスイッチも小さくなるなど、操作性に改善の余地があった。また、使用後も、スイッチの操作性にも改善の余地があるばかりか、照明が点灯した状態で使用者が放置してしまうこともある。
【０００７】
そこで、本考案者は、従来の照明付卓上鏡の問題点について、その解決手段を鋭意検討した結果、人感センサにより照明が点灯および消灯できる構成を採ることで、従来の課題を解決することができることを見出した。
【０００８】
すなわち、本考案は、照明を点灯又は消灯させるために煩雑な操作を必要としない卓上鏡を提供することを目的とする。
【課題を解決するための手段】
【０００９】
本考案に係るバッグは以下の通りである。
［１］  鏡部（１）と、
当該鏡部（１）を保持する鏡保持部（２）と、
使用者を検知する人感センサ（３）と、
当該人感センサ（３）からの検出信号を受けて点灯する照明手段（４）と、
前記照明手段（４）に電力を供給する電源部（５）とを備える照明付卓上鏡。
［２］  前記照明手段（４）が、ＬＥＤであることを特徴とする［１］に記載の卓上鏡。
【図面の簡単な説明】
【００１０】
【図１】図１は、本考案に係る照明付卓上鏡を説明するための図である。
【考案を実施するための形態】
【００１１】
以下、本考案に係る照明付卓上鏡について、適宜図面を参照しつつ説明する。なお、図１は、本考案に係る照明付卓上鏡の一態様を示しているにすぎず、本考案に係る技術的範囲は、これに限定されるものではない。
【００１２】
図１は、本考案に係る照明付卓上鏡を例示する。図１に示されるように、本考案に係る照明付卓上鏡は、鏡部（１）と、当該鏡部（１）を保持する鏡保持部（２）と、使用者を検知する人感センサ（３）と、当該人感センサ（３）からの検出信号を受けて点灯する照明手段（４）と、前記照明手段（４）に電力を供給する電源部（５）とを、必須構成要件として備え、目的に応じてその他の部材を備えていてもよい。
【００１３】
図１では、照明付卓上鏡（１０）の外形は、長方形状であるが、これに限定されるものではなく、目的に応じて正方形状やハート形状などの形状を取り得るものである。
【００１４】
図１の付番２で示される鏡保持部（２）は、鏡部（１）を保持するものである限り、その形状および材質は特に限定されない。また、鏡保持部（２）は壁面に吊止できるように、フック用の穴またはフックを備えていてもよい。また、自立できるように、照明付卓上鏡（１０）は、衝立やスタンド等とともに使用されていてもよい。
【００１５】
図１の付番５は、使用者を検知する人感センサ（３）を示す。人感センサ（３）は、使用者から放射される赤外線を検出するものであり、赤外線センサとも称される。このセンサは、人体から出ている、体温に相当する遠赤外線（波長が１０μｍ程度）を検知（測定）することで、非接触検知が可能である。人感センサ（３）としては、たとえば、赤外線の吸収によるセンサ表面の温度上昇を抵抗変化で検出する熱型赤外線センサや、センサ表面に発生する電荷により検出する焦電方赤外線センサなどが挙げられる。
【００１６】
人感センサ（３）が使用者を検知した場合、当該人感センサ（３）から検出信号が出力される。次いで、当該検出信号は照明手段（４）に送信され、当該人感センサ（３）からの検出信号を受けて点灯する。一方、人感センサ（３）が使用者を検知しなくなった場合、点灯している照明手段（４）が消灯する。
【００１７】
また、照明手段（４）としては特に限定されないが、低消費電力、低発熱性、長寿命性の観点からは、ＬＥＤであることが好ましい。図１では、照明手段（４）は、鏡部１の周囲に１０個配置されているが、この配置数などについても特に限定されるものではない。
【００１８】
電源部（５）については図示しないが、電源部（５）は、前記照明手段（４）、必要に応じて人感センサ（３）など他の部材に電力を供給する。この電源部（５）としては、特に限定されないが、目的に応じて、通常の乾電池であってもよいし、ＵＳＢなどのインターフェイスにより充電されたバッテリーであってもよい。
【産業上の利用可能性】
【００１９】
本考案によれば、使用者は、照明を点灯又は消灯させるために煩雑な操作を必要としない卓上鏡新規のバッグを提供することができる。
【符号の説明】
【００２０】
１０：本考案に係る照明付卓上鏡
1：鏡部
2：鏡保持部
3：人感センサ
4：照明手段
【図１】
0003225144.tif 000003
(57)【要約】      （修正有）【課題】石膏リムーバーを提供する。【解決手段】グリップ１を備え、該グリップは、電池１０を設け、該グリップ上にスイッチが設けられ、該スイッチは、該電池と電気接続され、該グリップの一端は、接続ロッド２を設け、該接続ロッドの外端部に伝動モータ３を設け、該伝動モータの回転軸３０は、該接続ロッドを凸伸し、該回転軸上にのこぎり４を設け、該伝動モータは、電源ケーブル３１を設けて該グリップ内の電池と電気的に接続し、該グリップの下方にシールド板５を設け、該シールド板は、弧形状を呈して該のこぎりの下方に延伸する。このように、石膏を取り除く時、該シールド板の保護によって、該のこぎりが石膏を切り開く時に不注意に患者を傷つけることを防ぎ、安全に石膏を除去することができる。【選択図】図１
0003225508.tif 000002
【実用新案登録請求の範囲】
【請求項１】
グリップを備え、該グリップは、電池を設け、該グリップ上にスイッチが設けられ、該スイッチは、該電池と電気接続され、該グリップの一端は、接続ロッドを設け、該接続ロッドの外端部に伝動モータを設け、該伝動モータの回転軸は、該接続ロッドを凸伸し、該回転軸上にのこぎりを設け、該伝動モータは、電源ケーブルを設けて該グリップ内の電池と電気的に接続し、該グリップの下方にシールド板を設け、該シールド板は、弧形状を呈して該のこぎりの下方に延伸する、石膏リムーバー。
【考案の詳細な説明】
【技術分野】
【０００１】
本考案は、石膏を安全に取り除くことができる石膏リムーバーに関する。
【背景技術】
【０００２】
人の肢体が外力の衝撃を受けて骨折した場合、骨折部位が再びより大きな損傷を受けることを回避するために、多くは骨折部位に石膏を覆って固定し、骨格の結合と回復を促進し、骨格が結合回復した後、外部を覆った石膏を取り外す必要があり、従来の石膏を取り除く方式は、のこぎりで切削した後に取り除くが、従来ののこぎりは、極めて鋭く、石膏を切削して取り除く時に極めて注意が必要であり、そうでなければ、患者を傷付ける可能性があり、故に操作に極めて危険である。
【考案の概要】
【考案が解決しようとする課題】
【０００３】
本考案の目的は、従来の骨折患者の身体上の石膏を取り除く時に存在する欠陥を有効に解決することができる石膏リムーバーを提供することである。
【課題を解決するための手段】
【０００４】
本考案の石膏リムーバーは、グリップを備え、該グリップは、電池を設け、該グリップ上にスイッチが設けられ、該スイッチは、該電池と電気接続され、該グリップの一端は、接続ロッドを設け、該接続ロッドの外端部に伝動モータを設け、該伝動モータの回転軸は、該接続ロッドを凸伸し、該回転軸上にのこぎりを設け、該伝動モータは、電源ケーブルを設けて該グリップ内の電池と電気的に接続し、該グリップの下方にシールド板を設け、該シールド板は、弧形状を呈して該のこぎりの下方に延伸する。
【考案の効果】
【０００５】
本考案の石膏リムーバーの利点は、石膏を取り除く時、シールド板の保護によって、のこぎりが石膏を切り開く時に不注意に患者を傷付けることを防ぎ、石膏の除去をより安全にすることである。
【図面の簡単な説明】
【０００６】
【図１】本考案の実施例の立体図である。
【図２】本考案の実施例の平面図である。
【図３】本考案の実施例の石膏を切削する時の使用説明平面図である。
【図４】本考案の実施例の石膏を切削する時の使用説明斜視図である。
【考案を実施するための形態】
【０００７】
本考案の上記の目的及び効果を達成するために採用する技術手段について、好適実施例を挙げ、図面に合わせて以下に説明する。
【０００８】
本考案の実施例は、図１、図２に示すように、ギャップ１を設け、該グリップ１内に電池１０を設け、該グリップ１上にスイッチ１１を設け、該スイッチ１１は、該電池１０と電気接続し、該グリップ１の一端に接続ロッド２を設け、該接続ロッド２の外端部内に伝動モータ３を設け、該伝動モータ３は、電源ケーブル３１を設けて該グリップ１内の電池１０と電気接続し、該グリップ１の下方にシールド板５を設け、該シールド板５は、弧形状を呈して該のこぎり４の下方に延伸し、このようにして、石膏リムーバー構造となる。
【０００９】
本考案の使用時、図１〜図４に示すように、骨折患者の肢体Ａ上の石膏Ｂを取り除く時、医療スタッフは、グリップ１を掴持する必要があり、シールド板５を患者の肢体Ａの皮膚と石膏Ｂの間に挿入し（図３、図４に示すように）、スイッチ１１によって伝動モータ３の作動を起動し、駆動モータ３の回転軸３０でのこぎり４を回転させ、医療スタッフは、グリップ１を押下し、のこぎり４は、伴って下向きに移動し、のこぎり４が押下されて石膏Ｂに接触する時、のこぎり動作を行うことができ、該石膏リムーバーを、石膏Ｂを切削しようとする方向に沿って推し進め、のこぎり４は、迅速に石膏Ｂを切り開き、このように、本考案は、石膏Ｂを取り除く時、シールド板５の保護によってのこぎり４が石膏Ｂを切り開く時に不注意で患者を傷付けることを防ぎ、石膏Ｂの除去を更に安全にさせる。
【００１０】
上記のように、本考案は、予期する使用目的及び効果を確かに達成し、且つ従来よりも理想的かつ実用的であるが、上記の実施例は、本考案の好適実施例について具体説明を行っているだけであり、該実施例は、本考案の実用新案登録請求の範囲を限定するものではなく、本考案が開示する技術的手段を逸脱せずに完成される均等の変更及び修飾は、何れも本考案に含まれるべきである。
【符号の説明】
【００１１】
１  グリップ
１０  電池
１１  スイッチ
２  接続ロッド
３  駆動モータ
３０  回転軸
３１  電源コード
４  のこぎり
５  シールド板
Ａ  患者の肢体
Ｂ  石膏
【図１】
0003225508.tif 000003
【図２】
0003225508.tif 000004
【図３】
0003225508.tif 000005
【図４】
0003225508.tif 000006